(57)【特許請求の範囲】
【請求項１】
日射遮蔽材を駆動するモーターと、指令元からの指令信号に基づいて前記モーターの動作を制御する制御部とを備えた複数の電動日射遮蔽装置に対し、前記指令信号に基づいて前記各制御部及び各モーターへの電源の供給を制御する電源制御手段を備え、
前記制御部は、
商用交流電源を直流電源に変換して前記モーター及び前記制御部に供給する電源回路を備え、
前記電源制御手段は、
前記商用交流電源が供給されるコネクタと前記電源回路との間に介在されるリレーと、
省エネモード指令信号に基づいて前記リレーを不導通として前記電源回路への前記商用交流電源の供給を遮断する電源コントローラーを備え、
前記電源コントローラーは、前記省エネモード時に前記リレーにリレー電源を供給し、前記リレーは前記リレー電源の供給に基づいて不導通となって前記商用交流電源の供給を遮断し、リレー電源が供給されないときに導通して前記電源回路に前記商用交流電源を供給することを特徴とする電動日射遮蔽システムの電源制御装置。
【発明の詳細な説明】
【技術分野】
【０００１】
この発明は、モーターの駆動力で日射遮蔽材を駆動する日射遮蔽装置に関するものである。
【背景技術】
【０００２】
従来、電動ブラインドの制御システムの一種類として、ビルの各フロアに設置された電動ブラインドの動作を各フロア毎、各フロアであらかじめ設定されたエリア毎、あるいは全館一斉に自動制御するシステムが実用化されている。
【０００３】
このようなシステムでは、中央制御装置で全フロアの電動ブラインドを一括制御し、あるいは各フロア毎、各エリア毎の電動ブラインドを一括して自動制御可能である。また、各フロアに設置された操作スイッチの操作により、各フロア毎あるいは各エリア毎の電動ブラインドを一括して制御可能である。
【０００４】
各電動ブラインドへの電源供給は、送電効率や汎用性の面から商用交流電源が供給される。また、各電動ブラインドのスラットを駆動するモーターは安価で制御の容易な直流モーターが使用されるとともに、モーターの制御回路も直流電源で動作する。
【０００５】
従って、各電動ブラインドのヘッドボックス内には、商用交流電源を所要電圧の直流電源に変換する電源回路がそれぞれ配設されている。この電源回路は、電源トランス、整流回路、安定化回路等を備えている。
【先行技術文献】
【特許文献】
【０００６】
【特許文献１】特開２００８−１６３５７７号
【発明の概要】
【発明が解決しようとする課題】
【０００７】
上記のような電動ブラインドでは、制御回路及びモーターが動作しない待機時にも電源トランスの一時側コイルには交流電源が供給され続けるため、トランスで待機電力が消費される。従って、多数の電動ブラインドが並設される制御システムでは、電動ブラインドの台数の増加にともなって待機電力も増大する。
【０００８】
特許文献１には、モーターへ電源を供給する大電力用トランスの一時側コイルに供給される交流電源を、待機時に遮断して待機電力を低減するようにした電動ブラインドが開示されている。
【０００９】
しかし、モーターの制御回路に電源を供給する小電力用トランスの一時側コイルには、待機時にも交流電源を供給し続ける必要があるため、待機電力を十分に低減することができないという問題点がある。
【００１０】
この発明の目的は、待機電力を十分に低減可能とした電動日射遮蔽装置の電源制御装置を提供することにある。
【課題を解決するための手段】
【００１１】
請求項１では、  日射遮蔽材を駆動するモーターと、指令元からの指令信号に基づいて前記モーターの動作を制御する制御部とを備えた複数の電動日射遮蔽装置に対し、前記指令信号に基づいて前記各制御部及び各モーターへの電源の供給を制御する電源制御手段を備え、前記制御部は、商用交流電源を直流電源に変換して前記モーター及び前記制御部に供給する電源回路を備え、前記電源制御手段は、前記商用交流電源が供給されるコネクタと前記電源回路との間に介在されるリレーと、省エネモード指令信号に基づいて前記リレーを不導通として前記電源回路への前記商用交流電源の供給を遮断する電源コントローラーを備え、前記電源コントローラーは、前記省エネモード時に前記リレーにリレー電源を供給し、前記リレーは前記リレー電源の供給に基づいて不導通となって前記商用交流電源の供給を遮断し、リレー電源が供給されないときに導通して前記電源回路に前記商用交流電源を供給する。
【発明の効果】
【００１７】
本発明によれば、待機電力を十分に低減可能とした電動日射遮蔽装置の電源制御装置を提供することができる。
【図面の簡単な説明】
【００１８】
【図１】電動ブラインドシステムを示すブロック図である。
【図２】電源コントローラーとブラインドコントローラーの電気的構成を示すブロック図である。
【図３】ブラインドコントローラーの電源回路を示すブロック図である。
【図４】電源コントローラーの動作を示すフローチャートである。
【図５】電源コントローラーの動作を示すフローチャートである。
【図６】ブラインドコントローラーの動作を示すフローチャートである。
【図７】第二の実施形態を示すブロック図である。
【図８】第二の実施形態のブラインドコントローラーの電源回路を示すブロック図である。
【図９】第二の実施形態のブラインドコントローラーの動作を示すフローチャートである。
【発明を実施するための形態】
【００１９】
（第一の実施形態）
以下、この発明を具体化した第一の実施形態を図面に従って説明する。図１に示す電動ブラインドシステム（電動日射遮蔽システム）は、多数のフロアにそれぞれ複数の電動ブラインドが設置されるものであり、フロア毎に設置されるフロアコントローラー１に通信線２ａを介してパソコン等の中央制御装置３が接続される。
【００２０】
前記フロアコントローラー１は通信線２ｂを介して電源コントローラー４に接続され、電源コントローラー４は通信線２ｃを介して当該フロアに多数設置される電動横型ブラインド５のヘッドボックス６内に配設されるブラインドコントローラー７に接続される。また、前記電源コントローラー４は通信線２ｄを介して操作スイッチ８に接続されている。
【００２１】
前記フロアコントローラー１と、電源コントローラー４と、ブラインドコントローラー７には、分電盤９を介して商用交流電源１７が供給されている。
そして、電源コントローラー４は中央制御装置３あるいは前記操作スイッチ８から通信線２ａ，２ｄを介して入力される指令信号に基づいて、各電動横型ブラインド５のブラインドコントローラー７への電源供給を制御するとともに、ブラインドコントローラー７の動作を制御する。
【００２２】
前記ヘッドボックス６内には前記ブラインドコントローラー７で制御される直流モーター（以下モーターとする）１０が配設されている。前記ブラインドコントローラー７は、電源コントローラー４から出力される指令信号に基づいてモーター１０を制御する。そして、モーター１０の作動により前記ヘッドボックス６から吊下支持されるスラット（日射遮蔽材）１１が昇降され、あるいは角度調節される。
【００２３】
次に、前記電源コントローラー４及びブラインドコントローラー７の電気的構成を図２に従って説明する。
同図において、指令元１２は前記操作スイッチ８若しくは中央制御装置３であり、その指令元１２から電源コントローラー４の通信ポート１３に供給される指令信号は、通信インターフェース１４を介してマイコン１５に入力される。
【００２４】
前記電源コントローラー４の電源回路１６には、商用交流電源１７がコネクタ１８を介して供給される。前記電源回路１６は交流電源を所要電圧の直流電源に変換し、前記マイコン１５及びリレー電源インターフェース１９に供給する。そして、前記リレー電源インターフェース１９はマイコン１５から出力される駆動信号に基づいて、電源回路１６から供給される直流電源をリレー電源ＲＤとしてリレー電源出力端子２５に供給する状態と、その供給を遮断する状態とのいずれかに制御される。
【００２５】
前記マイコン１５は、ＲＯＭ２０に格納されているプログラムに基づいて動作し、その処理結果を一時的に格納するＲＡＭ２１が接続されている。前記マイコン１５に接続されたＥＥＰＲＯＭ２２には、各電動横型ブラインド５のステータス情報が格納される。
【００２６】
前記マイコン１５に接続された状態表示用ＬＥＤ２３は、各電動横型ブラインド５の動作モード、すなわち通常モードであるか省エネモードであるかを表示する。また、前記マイコン１５に接続されたディップスイッチ２４は、電源コントローラー４のアドレス情報や同電源コントローラー４で制御する電動横型ブラインド５のアドレス情報等を設定可能となっている。
【００２７】
前記ブラインドコントローラー７には、前記商用交流電源１７がコネクタ２６及び無接点リレー２７を介して電源回路２８に供給される。前記無接点リレー２７は、前記電源コントローラー４のリレー電源出力端子２５から配線２９及びリレー電源入力端子３０を介してリレー電源ＲＤが供給されるとき、コネクタ２６に供給される商用交流電源１７を前記電源回路２８に供給する。すなわち、無接点リレー２７はリレー電源ＲＤが供給されないとき、接点を開く常開接点として動作する。
【００２８】
また、無接点リレー２７はリレー電源ＲＤの供給に基づいて、交流電源のゼロクロスポイント、すなわち交流電源電圧が中間電圧となるタイミングで電源回路２８に交流電源の供給を開始する公知の機能を備えている。
【００２９】
前記電源回路２８は商用交流電源１７を所要電圧の直流電源に変換し、マイコン３１及びモーター駆動回路３２に供給する。そして、モーター駆動回路３２は前記マイコン３１から出力されるモーター制御信号に基づいて前記モーター１０の動作を制御する。
【００３０】
前記指令元１２からブラインドコントローラー７の通信ポート３４に供給される指令信号は、通信インターフェース３５を介してマイコン３１に入力される。
前記マイコン３１は、ＲＯＭ３６に格納されているプログラムに基づいて動作し、その処理結果を一時的に格納するＲＡＭ３７が接続されている。前記マイコン３１に接続されたＥＥＰＲＯＭ３８には、当該電動横型ブラインド５のスラット高さ、スラット角度等の現在データが格納される。
【００３１】
前記マイコン３１に接続された状態表示用ＬＥＤ３９は、当該電動横型ブラインド５の動作モード、すなわち通常モードであるか省エネモードであるかを表示する。また、前記マイコン３１に接続されたディップスイッチ４０は、当該電動横型ブラインド５のアドレス情報等を設定可能となっている。
【００３２】
図３は、前記ブラインドコントローラー７の電源回路２８の具体的構成を示す。前記電源回路２８は、前記モーター駆動回路３２に動作電流を供給する大電力用トランス４１と、前記マイコン等に動作電流を供給する小電力用トランス４２を備えている。そして、大電力用トランス４１と小電力用トランス４２の一次側コイルには、前記商用交流電源１７が前記無接点リレー２７を介して供給される。
【００３３】
前記無接点リレー２７は前記リレー電源ＲＤが供給されると、大電力用トランス４１と小電力用トランス４２の一次側コイルに商用交流電源１７を供給する。従って、リレー電源ＲＤが供給されないときには、大電力用トランス４１と小電力用トランス４２の一次側コイルには商用交流電源１７が供給されないので、大電力用トランス４１と小電力用トランス４２での電力消費がなくなるようになっている。
【００３４】
前記大電力用トランス４１は、商用交流電源１７を所要の電圧に降圧して出力する。そして、大電力用トランス４１の交流出力電圧が整流回路４３及び安定化回路４４で直流電圧に変換されて、前記モーター駆動回路３２に供給される。
【００３５】
同様に、前記小電力用トランス４２は前記商用交流電源を所要の電圧に降圧し、その降圧電圧が整流回路４５及び安定化回路４６で直流電圧に変換されて、前記マイコン３１に供給される。
【００３６】
次に、前記電源コントローラー４の動作を図４及び図５に従って説明する。電源コントローラー４は、指令元１２から出力される指令信号に基づいて各電動横型ブラインド５を通常モード若しくは省エネモードのいずれかで制御する。
【００３７】
通常モードでは、電源コントローラー４のリレー電源インターフェース１９からブラインドコントローラー７の無接点リレー２７にリレー電源ＲＤが供給され、大電力用トランス４１及び小電力用トランス４２の一次側コイルに商用交流電源１７が供給されている。そして、指令元１２から出力される指令信号に基づいてモーター駆動回路３２が動作して、スラット１１の昇降操作あるいは角度調節操作が行われる。
【００３８】
このような通常モードでは、図４に示すように、電源コントローラー４のマイコン１５は指令元１２からの通常モードでの指令信号の受信の有無を監視している（ステップ１）。
【００３９】
この状態で指令元１２から電源コントローラー４に、制御対象すなわち当該電源コントローラー４に接続された電動横型ブラインド５に対する指令信号が入力され、その指令信号が省エネモードに移行するための指令信号であると（ステップ２，３）、ステップ４に移行する。
【００４０】
ステップ２，３で省エネモードに移行するための指令信号が入力されていない場合には、ステップ１に移行して指令信号の受信を監視している。
ステップ４では、省エネモードの指令信号の受信により、制御対象となる電動横型ブラインド５が昇降動作中あるいは角度調節動作中であるか否かをスキャンする。そして、昇降動作及び角度調節動作が停止すると（ステップ５）、制御対象となる電動横型ブラインド５にデータスキャン指令を出力する（ステップ６）。
【００４１】
すると、各電動横型ブラインド５のブラインドコントローラー７のマイコン３１は、スラット高さ及びスラット角度等の現在データをスキャンし、そのスキャン結果を電源コントローラー４に送信するとともに、ＥＥＰＲＯＭ３８に格納する。
【００４２】
次いで、電源コントローラー４のマイコン１５は、制御対象の電動横型ブラインド５に対し電源の遮断制御を行う（ステップ７）。すなわち、電源コントローラー４のマイコン１５はリレー電源インターフェース１９からのリレー電源ＲＤの出力を停止させる。
【００４３】
すると、制御対象となる電動横型ブラインド５のブラインドコントローラー７では、無接点リレー２７が不導通状態となり、大電力用トランス４１及び小電力用トランス４２の一次側コイルへの商用交流電源１７の供給が遮断される。この結果、ブラインドコントローラー７での電力消費はなくなる。
【００４４】
次いで、電源コントローラー４のマイコン１５は、ステップ６で受信した現在データをＥＥＰＲＯＭ２２に格納し（ステップ８）、さらに当該現在データを指令元１２へ送信して（ステップ９）、省エネモードへの移行処理を終了する。
【００４５】
図６は、通常モードから省エネモードへ移行する場合の前記ブラインドコントローラー７のマイコン３１の動作を示す。
通常モードでは、マイコン３１は通信ポート３４から入力される指令信号を常時監視している（ステップ３１）。そして、入力された指令信号が当該ブラインドコントローラー７に対するデータスキャン指令であると（ステップ３２，３３）、マイコン３１はスラット高さ及びスラット角度等の現在データをスキャンし、そのスキャン結果を電源コントローラー４に送信するとともに（ステップ３４）、ＥＥＰＲＯＭ３８に格納する（ステップ３５）。
【００４６】
省エネモードでは、図５に示すように、電源コントローラー４のマイコン１５は指令元１２からの省エネモードでの指令信号の受信の有無を監視している（ステップ１１）。
この状態で指令元１２から電源コントローラー４に、制御対象すなわち当該電源コントローラー４に接続された電動横型ブラインド５に対する指令信号が入力される。そして、指令信号がデータスキャンを指令する信号であると（ステップ１２，１３，１４）、マイコン１５はステップ１５に移行して、ＥＥＰＲＯＭ２２に格納されている各電動横型ブラインド５の現在データを読み出し、指令元１２へ送信する（ステップ１６）。
【００４７】
ステップ１２，１３で制御対象に対し省エネモードの解除を指令する信号が入力されると、ステップ１７に移行して指令信号にブラインドの操作指令信号も含まれているか否かを判別する。
【００４８】
そして、操作指令信号が含まれている場合には、その操作指令信号をＲＡＭ２１に一時的に格納する（ステップ１８）。
次いで、ステップ１９に移行して、制御対象の電動横型ブラインド５に対し電源の遮断を解除する制御を行う。すなわち、電源コントローラー４のマイコン１５はリレー電源インターフェース１９からのリレー電源ＲＤの出力を停止させる。
【００４９】
すると、制御対象となる電動横型ブラインド５のブラインドコントローラー７では、無接点リレー２７が導通状態となり、大電力用トランス４１及び小電力用トランス４２の一次側コイルへ商用交流電源１７が供給される。この結果、ブラインドコントローラー７ではモーター駆動回路３２及びマイコン３１に電源が供給される通常モードとなる。
【００５０】
次いで、ステップ２０で制御対象の電動横型ブラインド５にステップ１８でＲＡＭに格納した操作指令信号を出力する。すると、制御対象の電動横型ブラインド５では操作指令信号に基づいてスラット１１を駆動し、スラット１１の制御動作が終了すると、当該電動ブラインド５の現在データをＥＥＰＲＯＭ３８に格納する。
【００５１】
次いで、ステップ１６で電源コントローラー４は、制御対象の各電動横型ブラインド５から現在データを読み出し、ＥＥＰＲＯＭ２２に格納するとともに、指令元１２に送信する。
【００５２】
ステップ１７において、指令信号にブラインドの操作指令信号が含まれていない場合には、ステップ１９に移行して制御対象の電動横型ブラインド５に対し電源の遮断を解除する制御を行う。そして、ステップ２０の処理を行わず、ステップ２１で制御対象の各電動横型ブラインド５から現在データを読み出し、ＥＥＰＲＯＭ２２に格納するとともに、指令元１２に送信する。
【００５３】
上記のように構成された電動ブラインドシステムでは、次に示す作用効果を得ることができる。
（１）省エネモードでは、電動横型ブラインド５のブラインドコントローラー７に供給する電源を遮断することができる。従って、省エネモードでの電動横型ブラインド５での電力消費を削減することができる。
（２）省エネモードでは、電動横型ブラインド５の電源回路２８で、モーター駆動回路３２に電力を供給する大電力用トランス４１の一次側コイルと、マイコン３１等に電力を供給する小電力用トランス４２の一次側コイルへの商用交流電源１７の供給を遮断することができる。従って、省エネモードでの大電力用トランス４１及び小電力用トランス４２での電力消費をなくすことができる。
（３）電源コントローラー４で任意台数の電動横型ブラインド５の電源回路２８の動作を並行して制御することができる。従って、電動横型ブラインド５の台数が増加しても、省エネモード時の消費電力が増大することはない。
（４）電源コントローラー４を中央制御装置３及び操作スイッチ８で制御することができる。
（５）各電動横型ブラインド５に商用交流電源１７を直流電源に変換する電源回路２８を備えながら、省エネモードでの消費電力を低減することができる。
（第二の実施形態）
図７〜図９は、第二の実施形態を示す。この実施形態は、第一の実施形態の電源コントローラー４とブラインドコントローラー７の構成を一部変更したものである。第一の実施形態と同一構成部分は同一符号を付して説明する。
【００５４】
図７に示すように、この実施形態の電源コントローラー４の電源インターフェース５１は、マイコン１５から出力される制御信号に基づいて、電源回路１６から供給される直流電圧を所定の電圧に変換してマイコン電源ＭＤとして出力する。
【００５５】
前記マイコン電源ＭＤは、電源コントローラー４のマイコン電源出力端子５２から配線５３を介してブラインドコントローラー７のマイコン電源入力端子５４に供給される。そして、マイコン電源入力端子５４に供給されたマイコン電源ＭＤは、電源安定化回路５５で定電圧化されてマイコン３１に供給される。
【００５６】
前記電源コントローラー４のマイコン１５は、通常モード時に電源インターフェース５１からブラインドコントローラー７にマイコン電源ＭＤを供給し、省エネモードでは電源インターフェース５１からのマイコン電源ＭＤの供給を遮断する。また、省エネモード時にもマイコン電源ＭＤを供給するようにしてもよい。上記以外の電源コントローラー４の構成は、前記第一の実施形態と同様である。
【００５７】
前記ブラインドコントローラー７の無接点リレー２７は、マイコン３１からの制御信号に基づいて、通常モード時にはコネクタ２６に供給される商用交流電源１７を前記電源回路５６に供給し、省エネモード時には電源回路５６への商用交流電源１７の供給を遮断する。また、無接点リレー２７は、交流電源のゼロクロスポイント、すなわち交流電源電圧が中間電圧となるタイミングで電源回路５６に交流電源の供給を開始する公知の機能を備えている。上記以外のブラインドコントローラー７の構成は、前記第一の実施形態と同様である。
【００５８】
図８は、前記電源回路５６の具体的構成を示す。前記商用交流電源１７は無接点リレー２７を介して大電力用トランス４１の一次側コイルに供給される。大電力用トランス４１は、商用交流電源１７を所要の電圧に降圧して二次側コイルから出力する。そして、大電力用トランス４１の交流出力電圧が整流回路４３及び安定化回路４４で直流電圧に変換されて、前記モーター駆動回路３２に供給される。
【００５９】
前記無接点リレー２７は、通常モード時に前記マイコン３１から電源供給信号ＰＳが入力されたとき、商用交流電源１７を大電力用トランス４１に供給し、電源供給信号ＰＳが入力されないとき、大電力用トランス４１への商用交流電源１７の供給を遮断する。
【００６０】
この実施形態の電源コントローラー４は、図４及び図５に示す第一の実施形態の動作のステップ７及びステップ１９を除いて同様に動作する。
ステップ７では、マイコン１５の制御により電源インターフェース５１からのマイコン電源ＭＤの供給が遮断される。このとき、ブラインドコントローラー７でマイコン３１の制御により電源回路５６への商用交流電源１７の供給が遮断された後に、マイコン電源ＭＤの供給が遮断される。
【００６１】
また、ステップ１９ではマイコン１５の制御により電源インターフェース５１からのマイコン電源ＭＤの供給が再開される。
図９は、通常モードから省エネモードへ移行する場合の前記ブラインドコントローラー７のマイコン３１の動作を示す。
【００６２】
通常モードでは、マイコン３１は通信ポート３４から入力される指令信号を常時監視している（ステップ４１）。そして、入力された指令信号が当該ブラインドコントローラー７に対する省エネモード指令であると（ステップ４２，４３）、マイコン３１はモーター３３がそれ以前の操作指令信号に基づいて動作中であれば、スラット１１を指令信号に基づく位置まで制御する（ステップ４４）。
【００６３】
その後、無接点リレー２７を制御して、電源回路５６への商用交流電源１７の供給を遮断する（ステップ４５）。
次いで、スラット高さ及びスラット角度等の現在データをスキャンし、そのスキャン結果をＥＥＰＲＯＭ３８に格納し（ステップ４６）、電源コントローラー４からデータスキャン指令を受信すると（ステップ４７）、ＥＥＰＲＯＭ３８に格納されている現在データを電源コントローラー４に送信する（ステップ４８）。
【００６４】
上記のように構成された電動ブラインドシステムでは、次に示す作用効果を得ることができる。
（１）省エネモードでは、電動横型ブラインド５のブラインドコントローラー７に供給する電源を遮断することができる。従って、省エネモードでの電動横型ブラインド５での電力消費を削減することができる。
（２）省エネモードでは、電動横型ブラインド５の電源回路５６で、モーター駆動回路３２に電力を供給する大電力用トランス４１の一次側コイルへの商用交流電源１７の供給を遮断することができる。従って、省エネモードでの大電力用トランス４１での電力消費をなくすことができる。
（３）電源コントローラー４で任意台数の電動横型ブラインド５の電源回路５６の動作を並行して制御することができる。従って、電動横型ブラインド５の台数が増加しても、省エネモード時の消費電力が増大することはない。
（４）電源コントローラー４を中央制御装置３及び操作スイッチ８で制御することができる。
（５）各電動横型ブラインド５のブラインドコントローラー７に商用交流電源１７を直流電源に変換する電源回路５６を備えながら、省エネモードでの消費電力を低減することができる。
（６）省エネモード時に、電源コントローラー４からブラインドコントローラー７にマイコン電源ＭＤを供給し続ける構成としても、ブラインドコントローラー７でのトランスによる電力消費が発生しないので、消費電力を低減することができる。
【００６５】
上記実施形態は、以下の態様で実施してもよい。
・上記実施形態の電源コントローラー４及びブラインドコントローラー７の構成を、電動縦型ブラインド、電動シェード、電動ロールブラインド、電動カーテン、電動オーニング等に使用してもよい。
・第一の実施形態で、無接点リレー２７をリレー電源ＲＤが供給されないとき、導通状態となる常閉接点とし、省エネモードではリレー電源ＲＤに基づいて無接点リレー２７が不導通となるようにしてもよい。このような構成では、電源コントローラー４の故障等により、リレー電源ＲＤが供給されないとき、ブラインドコントローラー７の電源回路２８に商用交流電源１７が供給されているため、操作スイッチ８を操作して各電動横型ブラインド５を操作することができる。
・第二の実施形態で、省エネモード時にも電源インターフェース５１からマイコン電源ＭＤを出力させてもよい。
・第一及び第二の実施形態で、モーター１０に交流モーターを使用し、その交流モーターに前記無接点リレー２７を介して商用交流電源１７を供給してもよい。
【符号の説明】
【００６６】
４…電源制御手段（電源コントローラー）、５…電動日射遮蔽装置（電動横型ブラインド）、７…制御部（ブラインドコントローラー）、１０…モーター、１２…指令元、１７…商用交流電源、２７…電源制御手段（無接点リレー）、２８，５６…電源回路。
【図１】
0005558076.tif 000002
【図２】
0005558076.tif 000003
【図３】
0005558076.tif 000004
【図４】
0005558076.tif 000005
【図５】
0005558076.tif 000006
【図６】
0005558076.tif 000007
【図７】
0005558076.tif 000008
【図８】
0005558076.tif 000009
【図９】
0005558076.tif 000010